【手続補正書】
【提出日】平成17年12月15日(2005.12.15)
【手続補正１】
【補正対象書類名】明細書
【補正対象項目名】発明の名称
【補正方法】変更
【補正の内容】
【発明の名称】インクジェット記録装置及びインクジェット記録方法
【手続補正２】
【補正対象書類名】明細書
【補正対象項目名】特許請求の範囲
【補正方法】変更
【補正の内容】
【特許請求の範囲】
【請求項１】  記録ヘッドを用い、該記録ヘッドを往復走査して該往および復走査それぞれで当該記録ヘッドの吐出口から吐出される複数種類のインクを重ねてドットを形成することにより記録媒体に記録を行なうインクジェット記録装置であって、
前記記録ヘッドは、前記複数種類のインクのうち、前記往走査および前記復走査それぞれで当該インク相互の重なり順序が異なる２種類の重なり順序を有したインクの第１のインクの組合せにおけるそれぞれのインクを吐出するための吐出口配置と、前記複数種類のインクのうち、前記往走査と前記復走査とで当該インク相互の重なる順序が変化するインクの第２のインクの組合せにおけるそれぞれのインクを吐出するための吐出口配置とを有し、
前記第１のインクの組合せのインクを用い前記往復走査それぞれで当該記録領域の記録を完成する第１記録モードと、前記第２のインクの組合せのインクを用い前記往復走査の複数回の走査でかつそれぞれ走査で異なる吐出口を対応付けて当該記録領域の記録を完成する第２記録モードを選択的に実行する記録モード実行手段
を具えたことを特徴とするインクジェット記録装置。
【請求項２】  前記第１のインクの組合せのインクの吐出口配置は、それぞれのインクの２つの吐出口が、前記往復走査の走査方向に直交する軸に関して対称配置であることを特徴とする請求項１に記載のインクジェット記録装置。
【請求項３】  前記記録モード実行手段は、前記第１記録モードのとき前記記録領域を構成する１つの画素に重なる順序が異なる２つのドットを形成可能であり、前記第２記録モードのとき前記記録領域を構成する１つの画素列における画素に応じてそれぞれ重なる順序が変化した前後のドットを形成可能であることを特徴とする請求項１または２に記載のインクジェット記録装置。
【請求項４】  前記第１のインクの組み合わせのインクは、シアン、マゼンタおよびイエローのインクであり、第２のインクの組み合わせのインクは、シアン、マゼンタ、イエローおよびブラックのインクであることを特徴とする請求項１ないし３のいずれかに記載のインクジェット記録装置。
【請求項５】  前記ブラックインクは、染料のブラックインクであることを特徴とする請求項４に記載のインクジェット記録装置。
【請求項６】  前記第１のインクの組み合わせのインクは、シアン、マゼンタおよびイエローのインクであり、第２のインクの組み合わせのインクは、シアン、マゼンタ、イエローのインクおよびシアンおよびマゼンタの濃度が低いインクであることを特徴とする請求項１ないし３のいずれかに記載のインクジェット記録装置。
【請求項７】  前記第１のインクの組み合わせのインクは、シアン、マゼンタおよびイエローのインクであり、第２のインクの組み合わせのインクは、シアン、マゼンタ、イエローのインクおよび特色インクであることを特徴とする請求項１ないし３のいずれかに記載のインクジェット記録装置。
【請求項８】  前記第１記録モードは、前記第１のインクの組合せのインク以外に、顔料ブラックインクを用いることを特徴とする請求項１ないし７のいずれかに記載のインクジェット記録装置。
【請求項９】  前記第２記録モードは、前記第２のインクの組合せのインク以外に、顔料ブラックインクを用いることを特徴とする請求項５に記載のインクジェット記録装置。
【請求項１０】    記録ヘッドを用い、該記録ヘッドを往復走査して該往および復走査それぞれで当該記録ヘッドの吐出口から吐出される複数種類のインクを重ねてドットを形成することにより記録媒体に記録を行なうインクジェット記録方法であって、
前記記録ヘッドは、前記複数種類のインクのうち、前記往走査および前記復走査それぞれで当該インク相互の重なる順序が異なるインクの第１のインクの組合せにおけるそれぞれのインクを吐出するための吐出口配置と、前記複数種類のインクのうち、前記往走査と前記復走査とで当該インク相互の重なる順序が変化するインクの第２のインクの組合せにおけるそれぞれのインクを吐出するための吐出口配置とを有し、
前記第１のインクの組合せのインクを用いて前記往復走査それぞれで当該記録領域の記録を完成する第１記録モードと、前記第２のインクの組合せのインクを用い前記往復走査の複数回の走査でかつそれぞれ走査で異なる吐出口を対応付けて当該記録領域の記録を完成する第２記録モードを選択的に実行する
ステップを有したことを特徴とするインクジェット記録方法。
【請求項１１】  前記第１のインクの組合せのインクの吐出口配置は、それぞれのインクの２つの吐出口が、前記往復走査の走査方向に直交する軸関して対称配置であることを特徴とする請求項１０に記載のインクジェット記録方法。
【請求項１２】  前記記録モードを実行するステップは、前記第１記録モードのとき前記記録領域を構成する１つの画素に重なる順序が異なる２つのドットを形成可能であり、前記第２記録モードのとき前記記録領域を構成する１つの画素列における画素に応じてそれぞれ重なる順序が変化した前後のドットを形成可能であることを特徴とする請求項１０または１１に記載のインクジェット記録方法。
【請求項１３】  前記第１のインクの組み合わせのインクは、シアン、マゼンタおよびイエローのインクであり、第２のインクの組み合わせのインクは、シアン、マゼンタ、イエローおよびブラックのインクであることを特徴とする請求項１０ないし１２のいずれかに記載のインクジェット記録方法。
【請求項１４】  前記ブラックインクは、染料のブラックインクであることを特徴とする請求項１３に記載のインクジェット記録方法。
【請求項１５】  前記第１のインクの組み合わせのインクは、シアン、マゼンタおよびイエローのインクであり、第２のインクの組み合わせのインクは、シアン、マゼンタ、イエローのインクおよびシアンおよびマゼンタの濃度が低いインクであることを特徴とする請求項１０ないし１２のいずれかに記載のインクジェット記録方法。
【請求項１６】  前記第１のインクの組み合わせのインクは、シアン、マゼンタおよびイエローのインクであり、第２のインクの組み合わせのインクは、シアン、マゼンタ、イエローのインクおよび特色インクであることを特徴とする請求項１０ないし１２のいずれかに記載のインクジェット記録方法。
【請求項１７】  前記第１記録モードは、前記第１のインクの組合せのインク以外に、顔料ブラックインクを用いることを特徴とする請求項１０ないし１６のいずれかに記載のインクジェット記録方法。
【請求項１８】  前記第２記録モードは、前記第２のインクの組合せのインク以外に、顔料ブラックインクを用いることを特徴とする請求項１４に記載のインクジェット記録方法。
【手続補正３】
【補正対象書類名】明細書
【補正対象項目名】０００１
【補正方法】変更
【補正の内容】
【０００１】
【発明の属する技術分野】
本発明はインクジェット記録装置及びインクジェット記録方法に関し、詳しくは、記録ヘッドを双方向の走査で記録するインクジェット記録装置及びインクジェット記録方法に関するものである。
【手続補正４】
【補正対象書類名】明細書
【補正対象項目名】００１９
【補正方法】変更
【補正の内容】
【００１９】
本発明は、上述した従来の問題を解消するためになされたものであり、その目的とするところは、多種類のインクを用いて双方向記録をする構成において、記録ヘッドのサイズの増大を抑えて、高速記録と特に色むらが低減された高品位の記録を行うことができるインクジェット記録装置及びインクジェット記録方法を提供することにある。
【手続補正５】
【補正対象書類名】明細書
【補正対象項目名】００２０
【補正方法】変更
【補正の内容】
【００２０】
【課題を解決するための手段】
そのために本発明では、記録ヘッドを用い、該記録ヘッドを往復走査して該往および復走査それぞれで当該記録ヘッドの吐出口から吐出される複数種類のインクを重ねてドットを形成することにより記録媒体に記録を行なうインクジェット記録装置であって、前記記録ヘッドは、前記複数種類のインクのうち、前記往走査および前記復走査それぞれで当該インク相互の重なり順序が異なる２種類の重なり順序を有したインクの第１のインクの組合せにおけるそれぞれのインクを吐出するための吐出口配置と、前記複数種類のインクのうち、前記往走査と前記復走査とで当該インク相互の重なる順序が変化するインクの第２のインクの組合せにおけるそれぞれのインクを吐出するための吐出口配置とを有し、前記第１のインクの組合せのインクを用い前記往復走査それぞれで当該記録領域の記録を完成する第１記録モードと、前記第２のインクの組合せのインクを用い前記往復走査の複数回の走査でかつそれぞれ走査で異なる吐出口を対応付けて当該記録領域の記録を完成する第２記録モードを選択的に実行する記録モード実行手段を具えたことを特徴とする。
また、記録ヘッドを用い、該記録ヘッドを往復走査して該往および復走査それぞれで当該記録ヘッドの吐出口から吐出される複数種類のインクを重ねてドットを形成することにより記録媒体に記録を行なうインクジェット記録方法であって、前記記録ヘッドは、前記複数種類のインクのうち、前記往走査および前記復走査それぞれで当該インク相互の重なる順序が異なるインクの第１のインクの組合せにおけるそれぞれのインクを吐出するための吐出口配置と、前記複数種類のインクのうち、前記往走査と前記復走査とで当該インク相互の重なる順序が変化するインクの第２のインクの組合せにおけるそれぞれのインクを吐出するための吐出口配置とを有し、前記第１のインクの組合せのインクを用いて前記往復走査それぞれで当該記録領域の記録を完成する第１記録モードと、前記第２のインクの組合せのインクを用い前記往復走査の複数回の走査でかつそれぞれ走査で異なる吐出口を対応付けて当該記録領域の記録を完成する第２記録モードを選択的に実行するステップを有したことを特徴とする。